(57)【特許請求の範囲】
【請求項１】
トリガー具(33)を有する括り罠(3)と組み合わせられ、仕掛け用穴(4)に収容して使用する括り罠用仕掛け補助器具であって、
上部側が開口した中空体である器具本体(1)を有しており、
該器具本体(1)は、
前記括り罠(3)の前記トリガー具(33)を貫通させる通し部(105)と、
前記括り罠(3)が作動し、落ちた前記トリガー具(33)を落下する踏板(32)の邪魔にならない方向へ逃がすための逃げ空間部(104)と、
組み合わせられる括り罠(3)に角度調節自在に設けられている杭取付具(34)を受ける杭取付具受部(15)とを備えている、
括り罠用仕掛け補助器具。
【請求項２】
前記器具本体(1)において、括り罠(3)を仕掛けたときのワイヤロープ(37)の括り部(370)近傍となる位置に、獣足の踏み込みを受けてトリガー具(33)を作動させないようにする踏力受具(19)を取り付けるための受具取付部(180)を備えている、
請求項１の括り罠用仕掛け補助器具。
【請求項３】
前記受具取付部(180)が、踏力受具(19)を取り付けたときに踏力受具(19)でワイヤロープ(37)の括り部(370)を整形することにより括り部(370)の最小部の幅が所要幅に設定される位置に設けられている、
請求項２の括り罠用仕掛け補助器具。
【請求項４】
前記器具本体(1)の開口した部分の縁部に設けられており、組み合わせられる括り罠(3)のワイヤロープ(37)の括り部(370)を掛けるワイヤ掛け部(2,2a)を備えている
請求項１の括り罠用仕掛け補助器具。
【請求項５】
前記器具本体(1)の前記通し部(105)近傍の開口した部分の縁部に、組み合わせられる括り罠(3)のトリガー具(33)を、獣足の踏み込みを受けて作動させないようにする踏力受部(102a,103a)が設けられており、
前記逃げ空間部(104)が、前記踏力受部(102a,103a)の下方であって前記括り罠(3)の踏板(32)とは反対側へ膨出して設けられている、
請求項１、２、３又は４の括り罠用仕掛け補助器具。
【請求項６】
前記器具本体(1)の踏力受部(102a,103a)の近傍に、組み合わせられる括り罠(3)の器具本体(1)内部側にセットされるトリガー具(33)の爪(331)を位置させる隙間部(109)が設けられている、
請求項５の括り罠用仕掛け補助器具。
【発明の詳細な説明】
【技術分野】
【０００１】
本発明は、括り罠用仕掛け補助器具に関するものである。更に詳しくは、石混じりの土質の地盤で括り罠の仕掛けをする際に、石が邪魔になって仕掛け用穴が形成しにくい場合でも、括り罠を迅速かつ安定よく仕掛けることができるように補助することができると共に、トリガー具から踏板が外れる構造でトリガー具が落ちたときの下方へ回動する動きが比較的大きい括り罠と組み合わせた際、罠作動時に落下するトリガー具を逃がして踏板が分離するときの邪魔にならないようにし、踏板を円滑に落下させて罠を正常に作動させることができる、括り罠用仕掛け補助器具に関する。
【背景技術】
【０００２】
小石や比較的大きな石を含む石混じりの土質の地盤で括り罠の仕掛けをする場合、獣道に罠の仕掛け用穴（落とし穴）を掘るときに、土に埋まっている石が邪魔になって、必要な形状の仕掛け用穴を短時間で形成することは難しい。このため、括り罠の仕掛けに時間が掛かりすぎて周辺に人のにおいを残してしまったり、仕掛けられた括り罠の固定が不安定になって捕獲率が低下する等、問題が生じていた。
【０００３】
このような地盤で括り罠を仕掛ける場合、前記問題を解消するために、例えば大きめにあらかた形成した仕掛け用穴の内側に中空の筒状のものや箱状のものを収容して、これを所定形状の仕掛け用穴の代用とすることが考えられる。このように、仕掛け用穴に収容するようにした筒状部を有するものとしては、本願発明者が提案した「括り罠用仕掛け補助器具」がある（特許文献１参照）。
【０００４】
特許文献１の(図16)に記載されている括り罠用仕掛け補助器具(A5)は、崩れ防止板(4d)に土止め管(45)を装着した構造であり、括り罠設置後において、仕掛け用穴内に穴内壁が崩れた土や石、水（雨水等）が溜まるのを防止又は低減して仕掛け用穴の形状を保ち、括り罠を正常に作動させるというものである。
また、括り罠用仕掛け補助器具(A5)は、(図20,図21)に示すように、金属製の踏板(72)がトリガー具(73)と一体で外れない構造の括り罠(7)と組み合わせて使用される。
【先行技術文献】
【特許文献】
【０００５】
【特許文献１】特開２００８−１７８３８３
【発明の概要】
【発明が解決しようとする課題】
【０００６】
前記括り罠用仕掛け補助器具(A5)は、括り罠設置後において、仕掛け用穴内に土や石、水が溜まるのを防止又は低減して仕掛け用穴の形状を保ち、括り罠を正常に作動させることにおいては十分に有用である。
【０００７】
しかしながら、括り罠には、(図20,図21)に示されるように踏板がトリガー具と一体で外れない構造の括り罠ばかりでなく、木製の踏板を使用し、罠作動時には踏板がトリガー具から外れる構造の括り罠もある（後述する図５乃至図７参照）。
両括り罠において、構造がより簡易な後者の括り罠がむしろ一般的であるが、括り罠用仕掛け補助器具(A5)は、前者の括り罠専用であり、後者の括り罠と組み合わせるようにはなっていない。
【０００８】
すなわち、括り罠用仕掛け補助器具(A5)は、崩れ防止板(4d)に装着された土止め管(45)が単にほぼ円筒形状であり、トリガー具の逃げ代（逃げ空間部）が十分ではない。しかも、前記後者の括り罠のトリガー具は、獣足が深く踏み込んだ位置で括り罠が作動してワイヤロープの括り部が締まるように、踏板の載置部をより低くするため載置部に繋がる部分を下方に伸ばした構造となっている。
【０００９】
このため、トリガー具が落下したとき、踏板と反対側へ逃げることができず、載置部が踏板の落下を邪魔し、さらには踏板の落下に支障が出ることにより捕獲対象獣の足の落下も邪魔されるので、ワイヤロープの括り部による瞬間的な足の括りが不十分になり、捕獲率が低下しやすくなる。
【００１０】
（本発明の目的）
本発明は、石混じりの土質の地盤で括り罠の仕掛けをする際に、獣道の土を掘って形成する仕掛け用穴が、石が邪魔になって形成しにくい場合でも、括り罠を迅速かつ安定よく仕掛けることができるように補助することができると共に、トリガー具から踏板が外れる構造でトリガー具が落ちたときの下方へ回動する動きが比較的大きい括り罠と組み合わせた際、罠作動時に落下するトリガー具を踏板と反対側へ逃がして踏板が分離するときの邪魔にならないようにし、踏板を円滑に落下させて罠を正常に作動させることができる、括り罠用仕掛け補助器具を提供することを目的とする。
【課題を解決するための手段】
【００１１】
（１）本発明は、
トリガー具を有する括り罠と組み合わせられ、仕掛け用穴に収容して使用する括り罠用仕掛け補助器具であって、
上部側が開口した中空体である器具本体を有しており、
該器具本体は、
前記括り罠の前記トリガー具を貫通させる通し部と、
前記括り罠が作動し、落ちた前記トリガー具を落下する踏板の邪魔にならない方向へ逃がすための逃げ空間部と、
組み合わせられる括り罠(3)に角度調節自在に設けられている杭取付具を受ける杭取付具受部とを備えている
括り罠用仕掛け補助器具である。
【００１２】
（２）本発明は、
前記器具本体において、括り罠を仕掛けたときのワイヤロープの括り部近傍となる位置に、獣足の踏み込みを受けてトリガー具を作動させないようにする踏力受具を取り付けるための受具取付部を備えている、上記（１）の発明の括り罠用仕掛け補助器具である。
【００１３】
（３）本発明は、
前記受具取付部が、踏力受具を取り付けたときに踏力受具でワイヤロープの括り部を整形することにより括り部の最小部の幅が所要幅に設定される位置に設けられている、上記（２）の発明の括り罠用仕掛け補助器具である。
【００１４】
（４）本発明は、
前記器具本体の開口した部分の縁部に設けられており、組み合わせられる括り罠のワイヤロープの括り部を掛けるワイヤ掛け部を備えている、上記（１）の発明の括り罠用仕掛け補助器具である。
【００１５】
（５）本発明は、
前記器具本体の前記通し部近傍の開口した部分の縁部に、組み合わせられる括り罠のトリガー具を、獣足の踏み込みを受けて作動させないようにする踏力受部が設けられており、
前記逃げ空間部が、前記踏力受部の下方であって前記括り罠の踏板とは反対側へ膨出して設けられている、上記（１）、（２）、（３）又は（４）の発明の括り罠用仕掛け補助器具である。
【００１６】
（６）本発明は、
前記器具本体の踏力受部の近傍に、組み合わせられる括り罠の器具本体内部側にセットされるトリガー具の爪を位置させる隙間部が設けられている、上記（５）の発明の括り罠用仕掛け補助器具である。
【００１７】
器具本体に形成されている逃げ空間部は、器具本体の通し部近傍の壁部を折り曲げる等して形成するが、その具体的な構造は特に限定するものではない。例えば、壁部を垂直に立ち上げ、さらにその上部から内部側へ向け水平に曲げた構造、又は壁部を内部側へ向け形成する部分が所要角度で傾斜した構造（後述する実施の形態参照）等、公知構造を採用することができる。
【００１８】
（作用）
本発明に係る括り罠用仕掛け補助器具の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１９】
前記（１）の発明は、器具本体(1)にトリガー具(33)を踏板(32)と反対側へ逃がすための逃げ空間部(104)が形成されている。これにより、罠作動時にトリガー具(33)が落ちたときに踏板(32)が分離して落下する際の邪魔にならないので、踏板(32)が円滑に落下し括り罠を正常に作動させることができる。
また、器具本体(1)の通し部(105)にトリガー具(33)を貫通させることで、セットした括り罠(3)が括り罠用仕掛け補助器具に支えられるので、括り罠(3)の横倒れを防止できる。
【００２０】
前記（２）の発明は、トリガー具(33)上方等、獣足を括ることができない位置での獣足の踏み込みを踏力受部(102a,103a)で受け止めることでトリガー具(33)の作動を防止し、いわゆる空打ち（空作動）が起こらないようにすることができる。なお、空打ちにより捕獲対象獣を逃がしてしまうと、その捕獲対象獣は学習して二度とその道を通らないので罠による捕獲がしにくくなる。
【００２１】
また、逃げ空間部(104)が、踏力受部(102a,103a)の下方であって括り罠の踏板(32)とは反対側へ膨出して設けられており、踏力受部(102a,103a)が開口部の中心よりに位置するので、ワイヤロープ(37)の括り部(370)で獣足を括るときに、括り部(370)で獣足を踏力受部(102a,103a)側へ引き寄せて、踏力受部(102a,103a)と括り部(370)で挟むようにして引き絞ることができるので、獣足をよりきつく括ることができる。  
【００２２】
前記（３）の発明は、隙間部(109)に器具本体(1)の内部側にセットされるトリガー具(33)の爪(331)を位置させことによって、爪(331)にワイヤロープ(37)の輪状の括り部(370)を外側から掛けることができる。そして、爪(331)の傾きを調節することで、括り部(370)の浮き上がりを防止すると共に括り部(370)の形を整えることができる。
【００２３】
前記（４）の発明は、杭取付具受部(15)で括り罠の杭取付具(34)を受けることにより、括り罠(3)と組み合わせて獣道に仕掛けたときに、括り罠(3)が捕獲対象獣に踏まれても器具本体(1)に対して沈み込むことを防止できる。これにより、括り罠(3)と括り罠用仕掛け補助器具のセッティング状態が狂いにくいので、これに起因する罠が作動しなくなる等の異常は生じにくい。
また、杭取付具受部(15)の高さを調節できるようにすれば、器具本体(1)に対して括り罠(3)の角度を傾斜させて仕掛けるときに、杭取付具受部(15)の高さを変えることで器具本体(1)の逃げ空間部(104)とトリガー具(33)の位置関係を好適に維持できるので、括り罠(3)と括り罠用仕掛け補助器具とを無理なく組み合わせることができる。
【００２４】
前記（５）の発明は、受具取付部(180)に踏力受具(19)を取り付けることにより、獣足を括ることができない位置での獣足の踏み込みを踏力受具(19)で受け止めることでトリガー具(33)の作動を防止し、いわゆる空打ちが起こらないようにすることができる。
【００２５】
前記（６）の発明は、狩猟法や条例等で括り罠のワイヤロープ(37)の括り部(370)の大きさに、例えば最小部幅１２ｃｍの規制が設けられている区域で使用する場合に、それに適合するように受具取付部(180)の位置を設定し、取り付けた踏力受具(19)で括り部(370)を整形することで、括り部(370)の最小幅が自動的に１２ｃｍになるようにすることができるので、括り罠を手早く仕掛けることができる。
【発明の効果】
【００２６】
本発明は、罠設置箇所に大きめにあらかた形成した仕掛け用穴の内側に中空の器具本体を収容して、これを所定形状の仕掛け用穴の代用とすることで、例えば小石や比較的大きな石を含む石混じりの土質の地盤で括り罠の仕掛けをする際に、獣道の土を掘って形成する仕掛け用穴が、石が邪魔になって形成しにくい場合でも、括り罠を迅速かつ安定よく仕掛けることができるように補助することができる。
【００２７】
また、本発明は、器具本体に括り罠が作動しトリガー具が落ちたときのトリガー具を、落下する踏板の邪魔にならないように逃がすための逃げ空間部を備えているので、トリガー具から踏板が外れる構造でトリガー具が落ちたときの下方へ回動する動きが比較的大きい括り罠と組み合わせた際、罠作動時にトリガー具が落ちたときに踏板が分離し落下するときの邪魔にならず、踏板を円滑に落下させて罠を正常に作動させることができる。
【図面の簡単な説明】
【００２８】
【図１】本発明の括り罠用仕掛け補助器具の第１実施形態を示す斜視図。
【図２】図１の括り罠用仕掛け補助器具の構造を示し、（ａ）は正面図、（ｂ）は背面図。
【図３】図１の括り罠用仕掛け補助器具の構造を示し、（ａ）は平面図、（ｂ）は底面図。
【図４】図１の括り罠用仕掛け補助器具の構造を示し、（ａ）は右側面図、（ｂ）は図２（ａ）におけるＡ−Ａ断面図。
【図５】図１の括り罠用仕掛け補助器具を使用して括り罠を仕掛けた状態の側面視断面説明図。
【図６】図１の括り罠用仕掛け補助器具を使用して括り罠を仕掛けた状態の平面視説明図。
【図７】括り罠が作動した状態の側面視断面説明図。
【図８】本発明の括り罠用仕掛け補助器具の第２実施形態を示す上方から視た斜視図。
【図９】図８の括り罠用仕掛け補助器具を下方から視た斜視図。
【図１０】図８の括り罠用仕掛け補助器具を使用して括り罠を仕掛けた状態の側面視断面説明図。
【図１１】図８の括り罠用仕掛け補助器具を使用して括り罠を仕掛けた状態の平面視説明図。
【図１２】本発明の括り罠用仕掛け補助器具の第３実施形態を示す上方から視た斜視図。
【図１３】図１２の括り罠用仕掛け補助器具を下方から視た斜視図。
【図１４】図１２の括り罠用仕掛け補助器具を使用して括り罠を仕掛けた状態の側面視断面説明図。
【図１５】図１２の括り罠用仕掛け補助器具を使用して括り罠を仕掛けた状態の平面視説明図。
【図１６】本発明の括り罠用仕掛け補助器具の第４実施形態を示す下方から視た斜視図。
【発明を実施するための形態】
【００２９】
本発明を図面に示した実施の形態に基づき詳細に説明する。
図１乃至図７を参照する。
罠仕掛け補助器具Ｂ１は、金属製（鉄やステンレススチール等）であり、上下が開口した器具本体１と、器具本体１の上部開口側に固定されているワイヤ掛け具２、２ａを備えている。
【００３０】
器具本体１は、正面板１０、背面板１１及び左右の側面板１２、１３で構成され、上側と下側が開口したほぼ四角筒状である。正面板１０は、直立する縦板１０１と当該縦板１０１上端の左右に形成されている傾斜板１０２、１０３で構成されている。
【００３１】
縦板１０１は長方形状である。傾斜板１０２、１０３は、縦板１０１の上端に背面板１１方向へ突出するように所要の角度（互いに同じ角度）で傾斜して設けられている。傾斜板１０２、１０３の上端部には、縦板１０１と平行になるように直立させて上端板１０２ａ、１０３ａが形成されている。上端板１０２ａ、１０３ａは、空打ちになりやすい位置での獣足の踏み込みを受けることにより、踏み込みによってトリガー具３３が落ちたり、獣足が滑り落ちて踏板３２を踏んだりして、タイミングがずれた状態で括り罠を作動させてしまうことを防止するための踏力受部となっている。
【００３２】
上端板１０２ａ、１０３ａは、外側が縦板１０１よりやや短くなるよう形成されている。これにより形成されるワイヤ掛け具２、２ａとの隙間部１０９には、後述するように器具本体１の内部側にセットされるトリガー具３３の両側の爪３３１を位置させる。そして、各爪３３１にワイヤロープ３７の輪状の括り部３７０を外側から掛けて爪３３１の傾きを調節することで、括り部３７０の浮き上がりを防止すると共に括り部３７０の形を整えることができる。
【００３３】
なお、傾斜板１０２、１０３の傾斜角度は、本実施の形態では縦板１０１に対して約４０°の傾きに設定されているが、傾斜板１０２、１０３の下方に、括り罠３が作動しトリガー具３３が落ちたときのトリガー具３３を逃がすために十分な大きさの逃げ空間部１０４が形成できれば、この角度に限定されるものではない。逃げ空間部１０４は、前記構成により上端板１０２ａ、１０３ａの下方に踏板３２とは反対側に膨出するように形成されている。傾斜板１０２、１０３の間には、括り罠３と組み合わせてセットする際に、括り罠３のトリガー具３３を貫通させる通し部１０５が設けられている。
【００３４】
また、図２（ａ）に示すように縦板１０１には上部取付孔１４及び下部取付孔１４ａが上下にやや離れた位置に設けられている。縦板１０１には、後述する括り罠３の杭取付具３４を受ける杭取付具受具１５が、取付孔１４、１４ａで高さの調節ができるようにして取り付けられている。
【００３５】
上部取付孔１４は、縦孔１４０と、縦孔１４０の側部に等間隔で三箇所に設けられている掛止孔１４１で構成されている。各掛止孔１４１の先端部は下方へやや下がっており、後述する蝶ネジ１５６が掛止及びその位置で締め付け固定できるようになっている。
下部取付孔１４ａは、後述する掛止ピン１５４を挿通するもので、縦方向の長孔である。下部取付孔１４ａの長さは、前記最上部と最下部の掛止孔１４１間の距離よりやや長くなるように形成されている。
【００３６】
杭取付具受具１５は、長さ方向ほぼ中間部で直角に折り曲げられたＬ板状であり、縦板１０１に取り付ける側の縦部１５１と、杭取付具３４を受ける側である横部１５２を有している。
縦部１５１には、折り曲げ部近傍にネジ孔１５３が貫通して形成されている。ネジ孔１５３には、蝶ネジ１５６が器具本体１内部側から上部取付孔１４を通して螺合される。
【００３７】
また、縦部１５１の先部側には掛止ピン１５４が折り曲げ方向とは反対側に突出するように固定されている（本実施の形態では図４（ｂ）に示すようにネジをネジ孔にねじ込んで固定して形成している）。
横部１５２には、先端から基端側へ所要幅の切欠部１５５が形成されている。切欠部１５５の幅は、後述する杭取付具３４に取り付けられる杭３９を通すことができる幅に設定されている。
【００３８】
なお、杭取付具受具１５は、ネジ孔１５３に螺着した蝶ネジ１５６を上部取付孔１４のいずれかの掛止孔１４１に掛け、さらに掛止ピン１５４を下部取付孔１４ａに差し込んで蝶ネジ１５６を締め付けることにより固定される。杭取付具受具１５は、蝶ネジ１５６を上部取付孔１４の高さの異なる他の掛止孔１４１に掛け替えることにより、器具本体１に対する杭取付具受具１５の取り付け高さを多段階（本実施の形態では三段階）で調節することができる。
【００３９】
左右の側面板１２、１３は、ほぼ長方形で同じ形状である。側面板１２、１３の上辺部の高さは、前記正面板１０の傾斜板１０２、１０３の傾斜部上端よりやや低くなるように設定されている（図４参照）。
また、背面板１１の上辺部は、側面板１２、１３の上辺部よりやや低くなるように形成されている。
【００４０】
左側の側面板１２の上部には、ワイヤロープ３７の括り部３７０を載せて掛けるワイヤ掛け具２が固定され、右側の側面板１３の上部には、ワイヤ掛け具２ａが固定されている。ワイヤ掛け具２と２ａの形状は対称形であるので、本明細書では一方のワイヤ掛け具２の構造のみを説明し、他方のワイヤ掛け具２ａについては説明を省略する。なお、ワイヤ掛け具２、２ａは相対向する位置に同じ高さで固定されている。
【００４１】
ワイヤ掛け具２は、プレス成形によって形成されており、側面板１２、１３への固定部である縦部２０を有している。縦部２０の上部には、上部側が円弧状に拡がった傾斜誘導部２１が続けて設けられている。これにより、傾斜誘導部２１は外側へ膨らんだ湾曲した斜面となっている。
【００４２】
傾斜誘導部２１の上部には、上部縁から板材を断面凹状に窪ませるように曲げ変形させてワイヤ装入溝２２が水平に設けられている。ワイヤ装入溝２２は、溝の幅及び深さがワイヤロープ３７の括り部３７０を装入することができると共に罠作動時に括り部３７０を離脱させることができるように形成されている。
【００４３】
ワイヤ装入溝２２は、平面視でほぼ円弧状に設けられ、その長さ方向の両端には、ワイヤ装入溝２２を構成する外板２２０を一部上方へ突出させて係合爪部２３が設けられている。各係合爪部２３は、ペンチ等の工具を利用して内外方向へ簡単に塑性変形させることができる。
【００４４】
各係合爪部２３を変形させてワイヤ装入溝２２の幅を変えることにより、括り部３７０を止める力を調節することができ、例えばワイヤに癖があるような場合も括り部３７０をワイヤ装入溝２２に収めやすい。
【００４５】
（作用）
図５乃至図７を主に参照して、罠仕掛け補助器具Ｂ１を使用して括り罠３を仕掛ける方法及び作用を説明する。
【００４６】
ここで、跳上げ式の括り罠３の構造を簡単に説明する。括り罠３は、基アーム３５と跳上げアーム３０を有し、両アーム３０、３５はバネ３６の付勢力で拡がる構造である。符号３４は固定用の杭３９を差し込んで固定する杭取付具である。
【００４７】
杭取付具３４は筒状であり、基アーム３５に基端部が回動自在に取り付けられ、先端（下端）には円形のフランジ３４０が形成されている。基アーム３５の先端にはトリガー具３３が掛止されており、トリガー具３３の先端の踏板載置部３３０には、踏板３２が載置される。
【００４８】
トリガー具３３の四箇所には爪３３１が所要間隔をおいて立設されている。各爪３３１には、ワイヤロープ３７の括り部３７０が外側から掛けられる。ワイヤロープ３７には、括り部３７０を形成する締め金具３７１を有している。
【００４９】
この括り罠３は、踏板３２が捕獲対象獣の足で踏まれると、トリガー具３３が外れてバネ３６の付勢力で跳上げアーム３０が跳ね上がり、ワイヤロープ３７の輪状の括り部３７０が絞られて足が括られる。
【００５０】
（仕掛け）
罠仕掛け補助器具Ｂ１を使用した括り罠３の仕掛けは次のように行われる。
まず、図５に示すように、獣道に仕掛け用穴４を掘り、仕掛け用穴４の横の傾斜地に仕掛け用穴４につながる横穴４０を掘る。仕掛け用穴４に罠仕掛け補助器具Ｂ１を嵌め入れ、姿勢を水平に安定させる。
【００５１】
このとき、罠を仕掛ける地域が仮に小石や比較的大きな石を含む石混じりの土質の地盤であり、獣道の土を掘って形成する仕掛け用穴４の形状が、石が邪魔になって多少いびつになっても、罠の作動に必要な穴の形状は嵌め入れた器具本体１の形状で補完できる。これにより、穴形状の補正等の手間がかからず、結果的に括り罠３を迅速かつ安定よく仕掛けることができる
【００５２】
次に、横穴４０に各アーム３０、３５を閉じて先端にトリガー具３３を掛止したセット状態の括り罠３を設置する。まず、括り罠３の杭取付具３４のフランジ３４０を罠仕掛け補助器具Ｂ１の杭取付具受具１５の上に載せる。杭取付具３４に取り付けられた杭３９は杭取付具受具１５の切欠部１５５に横から入れるようにする。切欠部１５５は、罠作動後に杭３９が罠仕掛け補助器具Ｂ１から外れやすいようにする作用があり、これにより括り罠３の分離も早くなり、括り罠３自体の破損を防止できる。
【００５３】
括り罠３は、横穴４０が形成されている傾斜地の傾斜にほぼ沿うように傾けられる。この際、必要であれば、杭取付具受具１５の高さを調節して括り罠３の傾きを合わせるようにする。
【００５４】
なお、前記のように括り罠３の位置を設定する際、先端のトリガー具３３を器具本体１の傾斜板１０２、１０３の間の通し部１０５に貫通させるようにする。これにより、トリガー具３３の先端の踏板載置部３３０は、傾斜板１０２、１０３の内部側かつ逃げ空間部１０４の斜め上方に位置している。踏板載置部３３０の設定高さは、器具本体１の背面板１１の上端とほぼ同じ高さである。
【００５５】
そして、トリガー具３３の踏板載置部３３０と器具本体１の背面板１１の上辺部との間には、木製で四角形状の踏板３２（二枚構成）が水平に載置される。ワイヤ掛け具２、２ａのワイヤ装入溝２２にワイヤロープ３７の括り部３７０の形状を合わせるようにして装入する。
【００５６】
また、ワイヤ掛け具２、２ａ後部の側面板１２、１３の上辺部に踏力受具である受木１９を渡すように載置する。括り部３７０においてワイヤ掛け具２、２ａ間の浮いた部分は、この受木１９で受けるようにする。最後に、括り罠３と罠仕掛け補助器具Ｂ１にカムフラージュのために土や草、枯れ葉等を被せて仕掛けを完了する。
なお、前記のように器具本体１の通し部１０５にトリガー具３３を貫通させることにより、セットした括り罠３が器具本体１に支えられるので、括り罠３の横倒れを防止できる。
【００５７】
（作動）
前記のように罠仕掛け補助器具Ｂ１と共に仕掛けられた括り罠３は、捕獲対象獣が通ることにより次のように作動する。
【００５８】
図７に示すように、イノシシなどの捕獲対象獣が獣道を移動してきて、その獣足５がワイヤ掛け具２、２ａのワイヤ装入溝２２に装入されているワイヤロープ３７の括り部３７０内側の踏板３２を踏むか、或いはワイヤ掛け具２、２ａの傾斜誘導部２１に乗って斜面を滑り落ちて踏板３２を踏むと、括り罠３のトリガー具３３が下方へ外れて跳上げアーム３０が跳ね上がる。外れたトリガー具３３は、逃げ空間部１０４に回り込むように落ち、踏板３２が分離して落ちるのを邪魔することがなく、踏板３２は円滑に瞬時に落下する。
【００５９】
同時に括り部３７０も引っ張られてワイヤ装入溝２２から離脱して絞られ、捕獲対象獣の獣足５が括り部３７０によって括られて、捕獲対象獣は捕獲される。このとき、獣足５は、図７に示す状態からワイヤロープ３７によって上端板１０２ａ、１０３ａ側へ瞬間的に引き寄せられ、上端板１０２ａ、１０３ａに強く当たるため、獣足５はいわば括り部３７０と上端板１０２ａ、１０３ａで挟まれるようにしてよりきつく括られ、捕獲率は向上する。
【００６０】
また、罠仕掛け補助器具Ｂ１により、捕獲対象獣の獣足５が必ずしも踏板３２を直接踏まなくても、少なくとも踏板３２より拡がった傾斜誘導部２１に入れば足を括ることができるので、この点も捕獲率の向上に寄与できる。
【００６１】
なお、捕獲対象獣の獣足５がトリガー具３３上方の足を括ることができない位置、例えばワイヤロープ３７の括り部３７０の上で踏み込んだ場合、その踏力を器具本体１の上端板１０２ａ、１０３ａで受け止めることができる。
【００６２】
これにより、獣足５の踏力でトリガー具３３が落ちることが防止され、いわゆる空打ち（空作動）が起こらない。捕獲対象獣の獣足５が括り部３７０の他の部分を踏んだときも、その踏力はワイヤ掛け具２、２ａ又は受木１９で受けられることにより同様に空打ちが防止される。
【００６３】
さらには、括り罠３の杭取付具３４のフランジ３４０を器具本体１の杭取付具受具１５の上に載せており、括り罠３が踏まれても器具本体１に対して沈み込むことがなく、罠仕掛け補助器具Ｂ１と括り罠３のセッティング状態が狂いにくいので、これに起因する罠が作動しなくなる等の異常は生じにくい。
【００６４】
図８乃至図１１を参照する。
なお、図８乃至図１１において、前記罠仕掛け補助器具Ｂ１と同一又は同等箇所には同一の符号を付して示し、構造について重複する説明は省略する。
【００６５】
罠仕掛け補助器具Ｂ２は、器具本体１ａの側面板１２ａ、１３ａの上部にワイヤ掛け具２、２ａが設けられておらず、代わりに上部が外側に開くように所要角度で傾斜した載置片１８が設けられている点において罠仕掛け補助器具Ｂ１と相違している。各載置片１８は、側面板１２ａ、１３ａの後端部に受木を載せることができるように側面板１２ａ、１３ａよりやや短く形成されている。
【００６６】
（作用）
図１０及び図１１を主に参照する。
罠仕掛け補助器具Ｂ２を使用して括り罠３を前記罠仕掛け補助器具Ｂ１を使用した場合とほぼ同様に仕掛ける。なお、ワイヤロープ３７の括り部３７０のセットについては、まず側面板１２ａ、１３ａの後部側上辺部に受木１９を載置し、各載置片１８の上辺部にワイヤロープ３７の括り部３７０を載せ、括り部３７０の浮いた部分は、受木１９で受けるようにする。
【００６７】
罠仕掛け補助器具Ｂ２は、前記罠仕掛け補助器具Ｂ１と比較してより簡易な構造であるが、その作用（機能性）については、例えば逃げ空間部１０４によるトリガー具３３の逃げ部の確保や空打ちの防止等、前記罠仕掛け補助器具Ｂ１とほぼ同様であるので説明は省略する。
【００６８】
図１２乃至図１５を参照する。
なお、図１２乃至図１５において、前記罠仕掛け補助器具Ｂ１と同一又は同等箇所には同一の符号を付して示し、構造について重複する説明は省略する。
【００６９】
罠仕掛け補助器具Ｂ３は、器具本体１ｂの側面板１２ｂ、１３ｂの上部にワイヤ掛け具２、２ａが設けられておらず、代わりに上部が外側に開くように所要角度で傾斜した載置片１８ａが設けられている点において罠仕掛け補助器具Ｂ１と相違している。各載置片１８ａの後部には、受木を嵌め込んで載せることができる受木嵌合部１８０が設けられており、その前側にはワイヤ掛け部１８１が設けられている。
【００７０】
（作用）
図１４及び図１５を主に参照する。
罠仕掛け補助器具Ｂ３を使用して括り罠３を前記罠仕掛け補助器具Ｂ１を使用した場合とほぼ同様に仕掛ける。なお、ワイヤロープ３７の括り部３７０のセットについては、まず受木嵌合部１８０に受木１９を嵌め込み、ワイヤ掛け部１８１に括り部３７０を掛けて受木嵌合部１８０の内側に沿わせるようにする。
【００７１】
これにより、狩猟法や条例等で括り罠３のワイヤロープ３７の括り部３７０の大きさに例えば１２ｃｍの規制が設けられている区域で使用する場合に、それに適合するように受木嵌合部１８０とワイヤ掛け部１８１の位置を設定することで、括り部３７０の最小幅が自動的に１２ｃｍになるように整形することができ（図１５参照）、括り罠３を手早く仕掛けることができる。
【００７２】
また、罠仕掛け補助器具Ｂ３は、前記規制が設けられている区域だけでなく、受木嵌合部１８０とワイヤ掛け部１８１を使用せずに、前記罠仕掛け補助器具Ｂ２と同様にセットすることにより、規制のない区域でも使用することができる。
なお、逃げ空間部１０４によるトリガー具３３の逃げ部の確保や空打ちの防止等、他のの作用は、前記罠仕掛け補助器具Ｂ１と同様であるので、説明は省略する。
【００７３】
図１６を参照する。
なお、図１６において、前記罠仕掛け補助器具Ｂ２と同一又は同等箇所には同一の符号を付して示し、構造について重複する説明は省略する。
罠仕掛け補助器具Ｂ４は、正面板１０ｃ、背面板１１ｃ、側面板１２ｃ、１３ｃの下辺部に内側へ直角に曲げて形成された底縁板１６を有している。各底縁板１６は、所要の幅で正面板１０ｃ、背面板１１ｃ、側面板１２ｃ、１３ｃの全長にわたり設けられている。その他の構造は罠仕掛け補助器具Ｂ２と同様である。底縁板１６は、前記罠仕掛け補助器具Ｂ１、Ｂ３に同様に設けることもできる。
【００７４】
罠仕掛け補助器具Ｂ４は、括り罠３を前記罠仕掛け補助器具Ｂ１を使用した場合とほぼ同様に仕掛けるときに、仕掛け用穴４の中でより安定し、仕掛けがさらに容易にできる。すなわち、正面板１０ｃ、背面板１１ｃ、側面板１２ｃ、１３ｃの下辺部に設けられている各底縁板１６の作用により、罠仕掛け補助器具Ｂ４が必要以上に沈むことが防止され、より安定的かつ迅速な設置が可能になる。また、罠仕掛け補助器具Ｂ４によれば、罠本体から離脱したトリガー具３３が各底縁板１６の作用により器具内部に残りやすくなり、回収率が高くなる副次的な効果もある。
なお、逃げ空間部１０４によるトリガー具３３の逃げ部の確保や空打ちの防止等、他のの作用は、前記罠仕掛け補助器具Ｂ１と同様であるので、説明は省略する。
【００７５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００７６】
Ｂ１  罠仕掛け補助器具
１  器具本体
１０  正面板
１０１  縦板
１０２、１０３  傾斜板
１０２ａ、１０３ａ  上端板
１０４  空間部
１０５  通し部
１０９  隙間部
１１  背面板
１２  側面板
１３  側面板
１４  上部取付孔
１４０  縦孔
１４１  掛止孔
１４ａ  下部取付孔
１５  杭取付具受具
１５１  縦部
１５２  横部
１５３  ネジ孔
１５４  掛止ピン
１５５  切欠部
１５６  蝶ネジ
１９  受木
２、２ａ  ワイヤ掛け具
２０  縦部
２１  傾斜誘導部
２２  ワイヤ装入溝
２２０  外板
２３  係合爪部
３  括り罠
３０  跳上げアーム
３２  踏板
３３  トリガー具
３３０  踏板載置部
３３１  爪
３４  杭取付具
３４０  フランジ
３５  基アーム
３６  バネ
３７  ワイヤロープ
３７０  括り部
３７１  締め金具
３９  杭
４  仕掛け用穴
４０  横穴
５  獣足
Ｂ２  罠仕掛け補助器具
１ａ  器具本体
１２ａ、１３ａ  側面板
１８  載置片
Ｂ３  罠仕掛け補助器具
１ｂ  器具本体
１２ｂ、１３ｂ  側面板
１８ａ  載置片
１８０  受木嵌合部
１８１  ワイヤ掛け部
Ｂ４  補助器具
１０ｃ  正面板
１１ｃ  背面板
１２ｃ、１３ｃ  側面板
１６  底縁板
【図１】
0005643527.tif 000002
【図２】
0005643527.tif 000003
【図３】
0005643527.tif 000004
【図４】
0005643527.tif 000005
【図５】
0005643527.tif 000006
【図６】
0005643527.tif 000007
【図７】
0005643527.tif 000008
【図８】
0005643527.tif 000009
【図９】
0005643527.tif 000010
【図１０】
0005643527.tif 000011
【図１１】
0005643527.tif 000012
【図１２】
0005643527.tif 000013
【図１３】
0005643527.tif 000014
【図１４】
0005643527.tif 000015
【図１５】
0005643527.tif 000016
【図１６】
0005643527.tif 000017